(57)【要約】【課題】  ＩＣカードを導入しなくても、既存の自動取引装置をそのまま利用してセキュリティの高い取引処理を実行できる取引処理システムを得る。【解決手段】  自動取引装置とホストコンピュータと携帯端末とを含む取引処理システムにおいて、所定識別情報を自動取引装置へ送信する端末側通信部を携帯端末側に設け、該所定識別情報をホストコンピュータへ送信する装置側通信部を自動取引装置側に設け、所定識別情報を口座情報及び暗証番号と対応させて予め記憶しているホスト側格納部と、口座情報及び暗証番号に基づいてホスト側格納部を検索して所定識別情報を読み出す検索読出部と、読み出された所定識別情報と自動取引装置から受信した所定識別情報とが一致するか否かを判断する判断部と、一致すると判断されると、ホストコンピュータと自動取引装置との間で取引処理を実行させる制御部とをホストコンピュータ側に設ける。【選択図】        図１
2007087079.tif 000002
【特許請求の範囲】
【請求項１】
少なくとも顧客の口座における口座情報及び暗証番号に基づく取引処理を行うために、前記口座情報及び前記暗証番号が入力される自動取引装置と、該自動取引装置との間で通信を行い、前記顧客に専用され且つ所定識別情報を有する携帯端末と、通信回線を介して前記自動取引装置に接続し、前記所定識別情報を前記口座情報及び前記暗証番号と対応させて予め記憶しているホスト側格納部を有するホストコンピュータとを含む取引処理システムであって、
前記携帯端末は、
前記所定識別情報を前記自動取引装置へ送信する端末側通信部を備え、
前記自動取引装置は、
入力された前記口座情報及び前記暗証番号と前記携帯端末から受信した前記所定識別情報とを前記ホストコンピュータへ送信する装置側通信部を備え、
前記ホストコンピュータは、
前記自動取引装置から受信した前記口座情報及び前記暗証番号に基づいて前記ホスト側格納部を検索して、前記所定識別情報を読み出す検索読出部と、
読み出された前記所定識別情報と前記自動取引装置から受信した前記所定識別情報とが一致するか否かを判断する判断部と、
一致すると判断されると、前記ホストコンピュータと前記自動取引装置との間で前記取引処理を実行させる制御部とを備える
ことを特徴とする取引処理システム。
【請求項２】
前記携帯端末は、更に、前記所定識別情報を記憶する専用記憶部と、前記自動取引装置において前記暗証番号が入力された後、前記専用記憶部から前記所定識別情報を読み出して、前記端末側通信部を動作させる端末側制御部を備えることを特徴とする請求項１記載の取引処理システム。
【請求項３】
前記判断部により前記所定識別情報が一致しないと判断されると、前記制御部は、前記取引処理を停止させることを特徴とする請求項１記載の取引処理システム。
【請求項４】
前記ホストコンピュータは、更に、前記自動取引装置へ信号を送信するためのホスト側通信部を備え、前記制御部は、前記取引処理を停止させるための停止制御信号を生成して、前記ホスト側通信部に前記自動取引装置へ送信させることを特徴とする請求項３記載の取引処理システム。
【請求項５】
前記自動取引装置は、前記停止制御信号を受信すると、前記取引処理の停止に関する停止説明画面を表示する表示部を更に備えることを特徴とする請求項４記載の取引処理システム。
【請求項６】
前記自動取引装置は、前記顧客のキャッシュカードから口座情報を読み取るカード読取部を更に備え、前記口座情報の入力は前記カード読取部により行われることを特徴とする請求項１記載の取引処理システム。
【請求項７】
前記端末側通信部と前記装置側通信部とは、非接触型ＩＣカード技術（Ｆｅｌｉｃａ）を用いて通信を行うことを特徴とする請求項１記載の取引処理システム。
【請求項８】
前記端末側通信部と前記装置側通信部とは、ＩｒＤＡ（Ｉｎｆｒａｒｅｄ  Ｄａｔａ  Ａｓｓｏｃｉａｔｉｏｎ）によって近距離無線通信を行うことを特徴とする請求項１記載の取引処理システム。
【請求項９】
前記端末側通信部と前記装置側通信部とは、ブルートゥース（Ｂｌｕｅｔｏｏｔｈ）によって近距離無線通信を行うことを特徴とする請求項１記載の取引処理システム。
【請求項１０】
前記携帯端末は、前記顧客の携帯電話機であり、前記所定識別情報は、前記携帯電話機の製造番号であることを特徴とする請求項１記載の取引処理システム。
【請求項１１】
前記携帯端末は、前記顧客の携帯電話機であり、前記所定識別情報は、前記携帯電話機の電話番号であることを特徴とする請求項１記載の取引処理システム。
【請求項１２】
前記携帯端末は、前記顧客の携帯電話機であり、前記所定識別情報は、前記携帯電話機の電子メールアドレスであることを特徴とする請求項１記載の取引処理システム。
【請求項１３】
前記携帯端末は、前記顧客の携帯電話機であり、前記所定識別情報は、前記顧客により予め設定されたパスワードであることを特徴とする請求項１記載の取引処理システム。
【請求項１４】
少なくとも顧客の口座における口座情報及び暗証番号に基づく取引処理を行うために、前記口座情報及び前記暗証番号が入力される自動取引装置と、通信回線を介して該自動取引装置に接続し、該自動取引装置から前記口座情報及び前記暗証番号を受信するホストコンピュータと、該ホストコンピュータとの間で通信を行い、前記顧客に専用され且つ所定識別情報を有する携帯端末とを含む取引処理システムであって、
前記携帯端末は、
前記口座情報を前記顧客に入力させる端末側入力部と、
入力された前記口座情報及び前記所定識別情報を前記ホストコンピュータへ送信する端末側通信部とを備え、
前記ホストコンピュータは、
前記携帯端末の所定識別情報を前記口座情報及び前記暗証番号と対応させて予め記憶しているホスト側格納部と、
前記自動取引装置から受信した前記口座情報及び前記暗証番号と、前記携帯端末から受信した前記口座情報及び前記所定識別情報とを一時的に記憶する一時記憶部と、
前記携帯端末から受信した前記口座情報に基づいて前記一時記憶部から前記暗証番号を読み出し、前記口座情報と読み出された前記暗証番号とに基づいて前記ホスト側格納部を検索して、前記所定識別情報を読み出す検索読出部と、
読み出された前記所定識別情報と前記一時記憶部に記憶されている前記所定識別情報とが一致するか否かを判断する判断部と、
一致すると判断されると、前記ホストコンピュータと前記自動取引装置との間で前記取引処理を実行させる制御部とを備える
ことを特徴とする取引処理システム。
【請求項１５】
前記携帯端末は、更に、前記所定識別情報を記憶する専用記憶部と、前記自動取引装置において前記暗証番号が入力された後、前記専用記憶部から前記所定識別情報を読み出して、前記端末側通信部を動作させる端末側制御部とを備えることを特徴とする請求項１４記載の取引処理システム。
【請求項１６】
前記判断部により前記所定識別情報が一致しないと判断されると、前記制御部は、前記取引処理を停止させることを特徴とする請求項１４記載の取引処理システム。
【請求項１７】
前記ホストコンピュータは、前記自動取引装置へ信号を送信するためのホスト側通信部を更に備え、前記制御部は、前記取引処理を停止させるための停止制御信号を生成して、前記ホスト側通信部に前記停止制御信号を前記自動取引装置へ送信させることを特徴とする請求項１６記載の取引処理システム。
【請求項１８】
前記自動取引装置は、前記停止制御信号を受信すると、前記取引処理の停止に関する停止説明画面を表示する表示部を更に備えることを特徴とする請求項１７記載の取引処理システム。
【請求項１９】
前記自動取引装置は、前記顧客のキャッシュカードから口座情報を読み取るカード読取部を更に備え、前記口座情報の入力は前記カード読取部により行われることを特徴とする請求項１４記載の取引処理システム。
【請求項２０】
前記携帯端末は、前記顧客の携帯電話機であり、前記所定識別情報は、前記携帯電話機の製造番号であり、前記携帯端末と前記ホストコンピュータとの間の通信は、無線ネットワークを介して行われることを特徴とする請求項１４記載の取引処理システム。
【請求項２１】
前記携帯端末は、前記顧客の携帯電話機であり、前記所定識別情報は、前記携帯電話機の電話番号であり、前記携帯端末と前記ホストコンピュータとの間の通信は、無線ネットワークを介して行われることを特徴とする請求項１４記載の取引処理システム。
【請求項２２】
前記携帯端末は、前記顧客の携帯電話機であり、前記所定識別情報は、前記携帯電話機の電子メールアドレスであり、前記携帯端末と前記ホストコンピュータとの間の通信は、無線ネットワークを介して行われることを特徴とする請求項１４記載の取引処理システム。
【請求項２３】
前記携帯端末は、前記顧客の携帯電話機であり、前記所定識別情報は、前記顧客により予め設定されたパスワードであり、前記携帯端末と前記ホストコンピュータとの間の通信は、無線ネットワークを介して行われることを特徴とする請求項１４記載の取引処理システム。
【請求項２４】
少なくとも顧客の口座における口座情報及び暗証番号に基づく取引処理を行うために、前記口座情報及び前記暗証番号が入力される自動取引装置と、通信回線を介して該自動取引装置に接続し、該自動取引装置から前記口座情報及び前記暗証番号を受信するホストコンピュータと、通信回線を介して該ホストコンピュータに接続されるサーバと、該サーバとの間で通信を行い、前記顧客に専用され且つ所定識別情報を有する携帯端末とを含む取引処理システムであって、
前記携帯端末は、
前記口座情報を前記顧客に入力させる端末側入力部と、
入力された前記口座情報及び前記所定識別情報を前記サーバへ送信する端末側通信部とを備え、
前記サーバは、
前記携帯端末の所定識別情報を前記口座情報と対応させて予め記憶しているサーバ側格納部と、
前記携帯端末から受信した前記口座情報に基づいて前記サーバ側格納部を検索して、前記所定識別情報を読み出すサーバ側検索読出部と、
読み出された前記所定識別情報と前記携帯端末から受信した前記所定識別情報とが一致するか否かを判断するサーバ側判断部と、
一致すると判断されると、前記取引処理の許可を示す許可信号を生成する信号生成部と、
生成された前記許可信号を前記口座情報と共に前記ホストコンピュータへ送信するサーバ側通信部とを備え、
前記ホストコンピュータは、
前記自動取引装置から受信した前記口座情報及び前記暗証番号を一時的に記憶する一時記憶部と、
前記携帯端末から前記許可信号及び前記口座情報を受信すると、受信した前記口座情報に基づいて前記一時記憶部を検索して、前記暗証番号を読み出すホスト側検索読出部と、
前記ホストコンピュータと前記自動取引装置との間で、受信した前記口座情報及び読み出された前記暗証番号に基づいて前記取引処理を実行する制御部とを備える
ことを特徴とする取引処理システム。
【請求項２５】
前記携帯端末は、更に、前記所定識別情報を記憶する専用記憶部と、前記自動取引装置において前記暗証番号が入力された後、前記専用記憶部から前記所定識別情報を読み出して、前記端末側通信部を動作させる端末側制御部とを備えることを特徴とする請求項２４記載の取引処理システム。
【請求項２６】
前記サーバ側判断部により前記所定識別情報が一致しないと判断されると、前記信号生成部は、前記取引処理の停止を示す停止信号を生成し、
前記サーバ側通信部は、生成された前記停止信号を前記口座情報と共に前記ホストコンピュータへ送信し、
前記ホストコンピュータにおいて、
前記携帯端末から前記停止信号及び前記口座情報を受信すると、前記制御部は、受信した前記口座情報に基づく前記取引処理を停止させる
ことを特徴とする請求項２４記載の取引処理システム。
【請求項２７】
前記ホストコンピュータは、前記自動取引装置へ信号を送信するためのホスト側通信部を更に備え、前記制御部は、前記取引処理を停止させるための停止制御信号を生成して、前記ホスト側通信部に前記自動取引装置へ送信させることを特徴とする請求項２６記載の取引処理システム。
【請求項２８】
前記自動取引装置は、前記停止制御信号を受信すると、前記取引処理の停止に関する停止説明画面を表示する表示部を更に備えることを特徴とする請求項２７記載の取引処理システム。
【請求項２９】
前記自動取引装置は、前記顧客のキャッシュカードから口座情報を読み取るカード読取部を更に備え、前記口座情報の入力は前記カード読取部により行われることを特徴とする請求項２４記載の取引処理システム。
【請求項３０】
前記携帯端末は、前記顧客の携帯電話機であり、前記所定識別情報は、前記携帯電話機の製造番号であり、前記携帯端末と前記サーバとの間の通信は、無線ネットワークを介して行われることを特徴とする請求項２４記載の取引処理システム。
【請求項３１】
前記携帯端末は、前記顧客の携帯電話機であり、前記所定識別情報は、前記携帯電話機の電話番号であり、前記携帯端末と前記サーバとの間の通信は、無線ネットワークを介して行われることを特徴とする請求項２４記載の取引処理システム。
【請求項３２】
前記携帯端末は、前記顧客の携帯電話機であり、前記所定識別情報は、前記携帯電話機の電子メールアドレスであり、前記携帯端末と前記サーバとの間の通信は、無線ネットワークを介して行われることを特徴とする請求項２４記載の取引処理システム。
【請求項３３】
前記携帯端末は、前記顧客の携帯電話機であり、前記所定識別情報は、前記顧客により予め設定されたパスワードであり、前記携帯端末と前記サーバとの間の通信は、無線ネットワークを介して行われることを特徴とする請求項２４記載の取引処理システム。
【発明の詳細な説明】
【技術分野】
【０００１】
本発明は、キャッシュカード或いは通帳等を用いて各取引処理を行うための取引処理システムに関し、特に、セキュリティが強化された取引処理システムに関する。
【背景技術】
【０００２】
取引処理システムは、金融機関のセンターに配置されているホストコンピュータと、該ホストコンピュータに接続する自動取引装置とから構成される。顧客が口座の開設を申請すると、顧客の名前と、支店番号、科目及び口座番号からなる口座情報と、顧客が設定した暗証番号とがホストコンピュータに登録され、そして、顧客専用のキャッシュカードが発行される。発行されたキャッシュカードには表面に磁気ストライプが設けられ、この磁気ストライプに支店番号及び口座番号が磁気データとして書き込まれている。このキャッシュカードを用いることにより、入出金処理や振込処理等の種々の取引処理を行うことができる。
【０００３】
例えば、取引処理システムを利用して出金処理を行う場合、利用者が自動取引装置のカード読取部にキャッシュカードを挿入すると、自動取引装置はカード読取部にキャッシュカードの磁気ストライプから口座情報を読み取らせ、そして、表示入力部に暗証番号入力画面を表示させて、利用者に暗証番号を入力させる。その後、読み取られた口座情報及び入力された暗証番号がホストコンピュータに送信され、ホストコンピュータに予め登録されている口座情報及び暗証番号と一致しているか否か判断される。一致していると判断されると、ホストコンピュータは、自動取引装置との間で出金処理を実行する。
【０００４】
ところで、近年、キャッシュカードの偽造が多発しており、顧客の口座から預金が引き出され、顧客が損害を被るという問題が発生している。
【０００５】
そこで、金融機関は、取引処理に対するセキュリティを強化するために、キャッシュカードをＩＣカードに変更する対策を進めている。ＩＣカードは、半導体集積回路（ＩＣチップ）が埋め込まれたカードであり、該ＩＣチップには、キャッシュカードに記憶されている支店番号及び口座番号より更に詳しい口座情報が、暗号化して記憶されている。このため、ＩＣカードの偽造は困難である。
【発明の開示】
【発明が解決しようとする課題】
【０００６】
しかしながら、上記のようなＩＣカードを導入するためには、既存のキャッシュカードをＩＣカードに変更するだけでなく、ＩＣカードを使用可能にするために、自動取引装置の改造が必要となる。ゆえに、コストがかかるので、ＩＣカードの普及には至っていないのが現状である。
【０００７】
そこで、ＩＣカードを導入しなくても、既存の自動取引装置をそのまま利用してセキュリティの高い取引処理を実行できる取引処理システムが望まれていた。
【０００８】
本発明は、以上の点を解決するために、次の構成を採用する。
〈構成１〉
本発明に係る取引処理システムは、少なくとも顧客の口座における口座情報及び暗証番号に基づく取引処理を行うために、口座情報及び暗証番号が入力される自動取引装置と、該自動取引装置との間で通信を行い、顧客に専用され且つ所定識別情報を有する携帯端末と、通信回線を介して自動取引装置に接続し、所定識別情報を口座情報及び暗証番号と対応させて予め記憶しているホスト側格納部を有するホストコンピュータとを含み、携帯端末は、所定識別情報を自動取引装置へ送信する端末側通信部を備え、自動取引装置は、入力された口座情報及び暗証番号と携帯端末から受信した所定識別情報とをホストコンピュータへ送信する装置側通信部を備え、ホストコンピュータは、自動取引装置から受信した口座情報及び暗証番号に基づいてホスト側格納部を検索して、所定識別情報を読み出す検索読出部と、読み出された所定識別情報と自動取引装置から受信した所定識別情報とが一致するか否かを判断する判断部と、一致すると判断されると、ホストコンピュータと自動取引装置との間で取引処理を実行させる制御部とを備えることを特徴とする。
【０００９】
本発明に係る取引処理システムでは、携帯端末は、更に、所定識別情報を記憶する専用記憶部と、自動取引装置において暗証番号が入力された後、専用記憶部から所定識別情報を読み出して、端末側通信部を動作させる端末側制御部を備えることができる。
【００１０】
また、判断部により所定識別情報が一致しないと判断されると、制御部は、取引処理を停止させることができる。
【００１１】
また、ホストコンピュータは、更に、自動取引装置へ信号を送信するためのホスト側通信部を備え、制御部は、取引処理を停止させるための停止制御信号を生成して、ホスト側通信部に自動取引装置へ送信させることができる。
【００１２】
この場合、自動取引装置は、停止制御信号を受信すると、取引処理の停止に関する停止説明画面を表示する表示部を更に備えることができる。
【００１３】
本発明に係る取引処理システムでは、自動取引装置において、顧客のキャッシュカードから口座情報を読み取るカード読取部を更に備え、口座情報の入力をカード読取部により行うことができる。
【００１４】
本発明に係る取引処理システムでは、端末側通信部と装置側通信部とは、非接触型ＩＣカード技術（Ｆｅｌｉｃａ）を用いて通信を行うことができる。
【００１５】
また、端末側通信部と装置側通信部とは、ＩｒＤＡ（Ｉｎｆｒａｒｅｄ  Ｄａｔａ  Ａｓｓｏｃｉａｔｉｏｎ）によって近距離無線通信を行うことができる。
【００１６】
更に、端末側通信部と装置側通信部とは、ブルートゥース（Ｂｌｕｅｔｏｏｔｈ）によって近距離無線通信を行うこともできる。
【００１７】
本発明に係る取引処理システムでは、携帯端末として、顧客の携帯電話機を用いることができる。この場合、所定識別情報として、携帯電話機の製造番号を用いることができる。
【００１８】
携帯端末として、顧客の携帯電話機を用いた場合、所定識別情報として、携帯電話機の電話番号を用いることもできる。
【００１９】
また、携帯端末として、顧客の携帯電話機を用いた場合、所定識別情報として、携帯電話機の電子メールアドレスを用いることもできる。
【００２０】
更に、携帯端末として、顧客の携帯電話機を用いた場合、所定識別情報として、顧客により予め設定されたパスワードを用いることもできる。
【００２１】
〈構成２〉
本発明に係る取引処理システムは、少なくとも顧客の口座における口座情報及び暗証番号に基づく取引処理を行うために、口座情報及び暗証番号が入力される自動取引装置と、通信回線を介して該自動取引装置に接続し、該自動取引装置から口座情報及び暗証番号を受信するホストコンピュータと、該ホストコンピュータとの間で通信を行い、顧客に専用され且つ所定識別情報を有する携帯端末とを含み、携帯端末は、口座情報を顧客に入力させる端末側入力部と、入力された口座情報及び所定識別情報をホストコンピュータへ送信する端末側通信部とを備え、ホストコンピュータは、携帯端末の所定識別情報を口座情報及び暗証番号と対応させて予め記憶しているホスト側格納部と、自動取引装置から受信した口座情報及び暗証番号と、携帯端末から受信した口座情報及び所定識別情報とを一時的に記憶する一時記憶部と、携帯端末から受信した口座情報に基づいて一時記憶部から暗証番号を読み出し、口座情報と読み出された暗証番号とに基づいてホスト側格納部を検索して、所定識別情報を読み出す検索読出部と、読み出された所定識別情報と一時記憶部に記憶されている所定識別情報とが一致するか否かを判断する判断部と、一致すると判断されると、ホストコンピュータと自動取引装置との間で取引処理を実行させる制御部とを備えることを特徴とする。
【００２２】
本発明に係る取引処理システムでは、携帯端末は、更に、所定識別情報を記憶する専用記憶部と、自動取引装置において暗証番号が入力された後、専用記憶部から所定識別情報を読み出して、端末側通信部を動作させる端末側制御部とを備えることができる。
【００２３】
また、判断部により所定識別情報が一致しないと判断されると、制御部は、取引処理を停止させることができる。
【００２４】
また、ホストコンピュータは、自動取引装置へ信号を送信するためのホスト側通信部を更に備え、制御部は、取引処理を停止させるための停止制御信号を生成して、ホスト側通信部に停止制御信号を自動取引装置へ送信させることができる。
【００２５】
この場合、自動取引装置は、停止制御信号を受信すると、取引処理の停止に関する停止説明画面を表示する表示部を更に備えることができる。
【００２６】
本発明に係る取引処理システムでは、自動取引装置において、顧客のキャッシュカードから口座情報を読み取るカード読取部を更に備え、口座情報の入力をカード読取部により行うことができる。
【００２７】
本発明に係る取引処理システムでは、携帯端末として、顧客の携帯電話機を用いることができる。この場合、所定識別情報として、携帯電話機の製造番号を用いることができ、携帯端末とホストコンピュータとの間の通信は、無線ネットワークを介して行うことができる。
【００２８】
また、携帯端末として、顧客の携帯電話機を用いた場合、所定識別情報として、携帯電話機の電話番号を用いることもできる。この場合、携帯端末とホストコンピュータとの間の通信は、無線ネットワークを介して行うことができる。
【００２９】
また、携帯端末として、顧客の携帯電話機を用いた場合、所定識別情報として、携帯電話機の電子メールアドレスを用いることもできる。この場合、携帯端末とホストコンピュータとの間の通信は、無線ネットワークを介して行うことができる。
【００３０】
携帯端末として、顧客の携帯電話機を用いた場合、更に、所定識別情報として、顧客により予め設定されたパスワードを用いることもできる。この場合、携帯端末とホストコンピュータとの間の通信は、無線ネットワークを介して行うことができる。
【００３１】
〈構成３〉
本発明に係る取引処理システムは、少なくとも顧客の口座における口座情報及び暗証番号に基づく取引処理を行うために、口座情報及び暗証番号が入力される自動取引装置と、通信回線を介して該自動取引装置に接続し、該自動取引装置から口座情報及び暗証番号を受信するホストコンピュータと、通信回線を介して該ホストコンピュータに接続されるサーバと、該サーバとの間で通信を行い、顧客に専用され且つ所定識別情報を有する携帯端末とを含み、携帯端末は、口座情報を顧客に入力させる端末側入力部と、入力された口座情報及び所定識別情報をサーバへ送信する端末側通信部とを備え、サーバは、携帯端末の所定識別情報を口座情報と対応させて予め記憶しているサーバ側格納部と、携帯端末から受信した口座情報に基づいてサーバ側格納部を検索して、所定識別情報を読み出すサーバ側検索読出部と、読み出された所定識別情報と携帯端末から受信した所定識別情報とが一致するか否かを判断するサーバ側判断部と、一致すると判断されると、取引処理の許可を示す許可信号を生成する信号生成部と、生成された許可信号を口座情報と共にホストコンピュータへ送信するサーバ側通信部とを備え、ホストコンピュータは、自動取引装置から受信した口座情報及び暗証番号を一時的に記憶する一時記憶部と、携帯端末から許可信号及び口座情報を受信すると、受信した口座情報に基づいて一時記憶部を検索して、暗証番号を読み出すホスト側検索読出部と、ホストコンピュータと自動取引装置との間で、受信した口座情報及び読み出された暗証番号に基づいて取引処理を実行する制御部とを備えることを特徴とする。
【００３２】
本発明に係る取引処理システムでは、携帯端末は、更に、所定識別情報を記憶する専用記憶部と、自動取引装置において暗証番号が入力された後、専用記憶部から所定識別情報を読み出して、端末側通信部を動作させる端末側制御部とを備えることができる。
【００３３】
また、サーバ側判断部により所定識別情報が一致しないと判断されると、信号生成部は、取引処理の停止を示す停止信号を生成し、サーバ側通信部は、生成された停止信号を口座情報と共にホストコンピュータへ送信し、ホストコンピュータにおいて、携帯端末から停止信号及び口座情報を受信すると、制御部は、受信した口座情報に基づく取引処理を停止させることができる。
【００３４】
また、ホストコンピュータは、自動取引装置へ信号を送信するためのホスト側通信部を更に備え、制御部は、取引処理を停止させるための停止制御信号を生成して、ホスト側通信部に自動取引装置へ送信させることができる。
【００３５】
この場合、自動取引装置は、停止制御信号を受信すると、取引処理の停止に関する停止説明画面を表示する表示部を更に備えることができる。
【００３６】
本発明に係る取引処理システムでは、自動取引装置において、顧客のキャッシュカードから口座情報を読み取るカード読取部を更に備え、口座情報の入力をカード読取部により行うことができる。
【００３７】
本発明に係る取引処理システムでは、携帯端末として、顧客の携帯電話機を用いることができる。この場合、所定識別情報として、携帯電話機の製造番号を用いることができ、携帯端末とサーバとの間の通信は、無線ネットワークを介して行うことができる。
【００３８】
携帯端末として、顧客の携帯電話機を用いる場合、所定識別情報として、携帯電話機の電話番号を用いることもできる。この場合、携帯端末とサーバとの間の通信は、無線ネットワークを介して行うことができる。
【００３９】
また、携帯端末として、顧客の携帯電話機を用いる場合、所定識別情報として、携帯電話機の電子メールアドレスを用いることもできる。この場合、携帯端末とサーバとの間の通信は、無線ネットワークを介して行うことができる。
【００４０】
携帯端末として、顧客の携帯電話機を用いる場合、更に、所定識別情報として、顧客により予め設定されたパスワードを用いることができる。この場合、携帯端末とサーバとの間の通信は、無線ネットワークを介して行うことができる。
【発明の効果】
【００４１】
本発明の取引処理システムによれば、自動取引装置において口座情報及び暗証番号に基づく取引処理が実行される際に、暗証番号に加えて、更に、顧客の携帯端末の所定識別情報を用いて、顧客本人であるか否かの認証判断が行われるので、既存の暗証番号のみによる認証判断と比較して、更に取引処理に対するセキュリティが強化される。
【発明を実施するための最良の形態】
【００４２】
以下、本発明の実施形態を図を用いて詳細に説明する。
【実施例１】
【００４３】
図１は、本発明に係る取引処理システムの実施例１の構成を示すブロック図である。
本発明に係る取引処理システム１０は、図１に示されているように、例えば金融機関のコーナーに設置されている自動取引装置１１と、金融機関のセンターに設置されているホストコンピュータ１２と、顧客の携帯端末としての携帯電話機１３とを備えている。自動取引装置１１とホストコンピュータ１２とは、通信回線１４を介して相互に接続されている。この取引処理システム１０を利用して、例えば入出金処理や振込処理等の種々の取引処理を行うことができる。
【００４４】
自動取引装置１１は、入出金処理や振込処理等の取引処理を行うために、表示入力部１５、カード読取部１６、装置側記憶部１７、取引処理実行部１８、装置側通信部１９及びこれら各部を制御する装置側制御部２０を備えている。
【００４５】
表示入力部１５は、例えばタッチパネルからなり、取引処理を実行させるための取引処理画面等を表示し、また、それぞれの画面に応じて、顧客に選択データや入力データ等を入力させる機能を有する。
【００４６】
カード読取部１６は、例えばキャッシュカード等の取引処理用カードを検知して、該カードに記憶されている支店番号及び口座番号からなる口座情報のデータを読み取る機能を有する。
【００４７】
装置側記憶部１７は、表示入力部１５により入力されたデータや、カード読取部１６により読み取られたデータ等を一時的に記憶する一時記憶部である。
【００４８】
取引処理実行部１８は、ホストコンピュータ１２との間で取引処理を実行する機能を有する。
【００４９】
装置側通信部１９は、回線通信部２１及び無線通信部２２を備えている。
【００５０】
回線通信部２１は、通信回線１４を介して、ホストコンピュータ１２との間で通信を行う機能を有する。
無線通信部２２は、本実施例ではＦｅｌｉｃａ、ＩｒＤＡ（Ｉｎｆｒａｒｅｄ  Ｄａｔａ  Ａｓｓｏｃｉａｔｉｏｎ）或いはブルートゥース（Ｂｌｕｅｔｏｏｔｈ）の何れかにより、携帯電話機１３との間で近距離無線通信を行う機能を有する。
【００５１】
装置側制御部２０は、上記した表示入力機能、読取機能、取引処理実行機能及び通信機能等を制御するための制御プログラムを備えている。
【００５２】
携帯電話機１３は、顧客に専用され、携帯端末としての機能を有し、携帯側通信部２３、表示部２４、入力部２５、所定識別情報記憶部２６、読出部２７及びこれら各部を制御する携帯側制御部２８を備えている。
【００５３】
携帯側通信部２３は、本実施例ではＦｅｌｉｃａ、ＩｒＤＡ或いはブルートゥースの何れかにより、自動取引装置１１との間で近距離無線通信を行う機能を含んでいる。また、携帯側通信部２３は、自動取引装置１１と通信させるための通信専用ソフト２３ａを有している。
【００５４】
表示部２４は、例えばディスプレイからなり、顧客にデータの入力を促す入力画面等を表示する機能を有している。
【００５５】
入力部２５は、例えば入力ボタンからなり、顧客にデータを入力させる機能を有する。
また、入力部２５は、通信専用ソフト２３ａを起動させる起動ボタン２５ａを有しており、顧客が該起動ボタン２５ａを押圧することにより、通信専用ソフト２３ａが起動されると共に、例えば、表示部２４にソフト起動画面が表示され、また、自動取引装置１１との通信を開始するための接続開始信号が生成されて、自動取引装置１１へ送信される。
【００５６】
所定識別情報記憶部２６は、携帯電話機１３を特定する所定識別情報を記憶している専用記憶部である。この所定識別情報として、本実施例では、携帯電話機１３の電話番号が採用される。この電話番号は、所定の手続にしたがって、予めホストコンピュータ１２に登録される。
携帯電話機１３の電話番号をホストコンピュータ１２へ登録するためには、例えばｗｅｂ通信等により、無線ネットワークを介して、携帯電話機１３からホストコンピュータ１２へ電話番号を送信する。ホストコンピュータ１２は、例えば登録専用ソフトを用いて、携帯電話機１３から受信した電話番号を、顧客の口座における口座情報及び暗証番号等に対応させて、後述するホスト側格納部に予め格納する。
【００５７】
読出部２７は、所定識別情報記憶部２６に記憶されている所定識別情報を読み出す機能を有する。
【００５８】
携帯側制御部２８は、上記した通信機能、表示機能、入力機能、記憶機能及び読出機能等を制御するための制御プログラムを備えている。
【００５９】
ホストコンピュータ１２は、ホスト側通信部３１、一時記憶部３２、ホスト側格納部３３、検索読出部３４、判断部３５、信号生成部３６及びこれら各部を制御するホスト側制御部３７を備えている。
【００６０】
ホスト側通信部３１は、通信回線１４を介して、自動取引装置１１との間で通信を行う機能を有する。
【００６１】
一時記憶部３２は、ホスト側通信部３１により受信した自動取引装置１１からのデータ、例えば口座情報や暗証番号、所定識別情報等を一時的に記憶する機能を有する。
【００６２】
ホスト側格納部３３は、携帯電話機１３の所定識別情報を、顧客の名前や、口座情報、暗証番号等と対応させて予め格納する機能を有する。
なお、本実施例では、口座情報は顧客の口座における支店番号及び口座番号からなるが、口座番号のみでも良い。
【００６３】
図２は、実施例１のホスト側格納部の構成を示す説明図である。
ホスト側格納部３３には、図２に示されているように、「名前」、「支店番号」、「科目」、「口座番号」及び「暗証番号」等の項目が設けられており、更にこれらの項目に対応して「所定識別情報（携帯電話機電話番号）」項目が設けられている。
【００６４】
例えば、顧客Ａに対応して、その支店番号、科目、口座番号、暗証番号及び所定識別情報は、「１２３」、「普通」、「４５６７８９０」、「１２３４」及び「０９０−１２３４−５６７８」となっている。
【００６５】
また、検索読出部３４は、自動取引装置１１から受信した口座情報に基づいてホスト側格納部３３を検索して暗証番号を読み出す機能や、口座情報及び暗証番号に基づいてホスト側格納部３３を検索して所定識別情報を読み出す機能を有する。
【００６６】
判断部３５は、一時記憶部３２に記憶されたデータに基づいて、検索読出部３４により読み出されたデータを判断する機能を有する。
【００６７】
信号生成部３６は、自動取引装置１１とホストコンピュータ１２との間における取引処理を実行させるための実行信号や、停止させるための停止制御信号等を生成する機能を有する。
【００６８】
ホスト側制御部３７は、上記した各部３１〜３６を制御するための制御プログラムを備えている。
【００６９】
次に、本発明に係る取引処理システム１０の動作を、キャッシュカードを用いた出金処理を例として、図３に示すフローチャートに沿って説明する。
図３は、本発明に係る取引処理システムの実施例１における動作を示すフローチャートである。
【００７０】
顧客が自動取引装置１１の前に立つと、図示しない検知センサにより検知され、検知信号が装置側制御部２０に送られる。この検知信号を受け、装置側制御部２０は、表示入力部１５に、顧客に取引処理を選択させるための取引処理選択画面を表示させる（Ｓ１０１）。
【００７１】
取引処理選択画面において顧客が出金処理を選択すると、表示入力部１５は、次に、キャッシュカードの挿入を顧客に促すためのキャッシュカード挿入画面を表示する（Ｓ１０２）。顧客がカード読取部１６にキャッシュカードを挿入すると、カード読取部１６は、挿入されたキャッシュカードの磁気ストライプから支店番号及び口座番号からなる口座情報を読み取る。読み取られた口座情報は、装置側記憶部１７に一時的に記憶される（Ｓ１０３）。
【００７２】
表示入力部１５は、更に、暗証番号の入力を顧客に促すための暗証番号入力画面を表示する（Ｓ１０４）。顧客により暗証番号が入力されると、装置側通信部１９の回線通信部２１は、入力された暗証番号を装置側記憶部１７に記憶された口座情報と共にホストコンピュータ１２へ送信する（Ｓ１０５）。
【００７３】
ホストコンピュータ１２において、ホスト側通信部３１が口座情報及び暗証番号を受信すると、ホスト側制御部３７は受信したデータを一時記憶部３２に記憶させる（Ｓ１０６）。
【００７４】
次に、検索読出部３４が、受信した該口座情報に基づいてホスト側格納部３３を検索して、暗証番号を読み出す（Ｓ１０７）。そして、判断部３５が、読み出された暗証番号と一時記憶部３２に記憶された暗証番号とが一致するか否かを判断する（Ｓ１０８）。
【００７５】
一致しないと判断されると、信号生成部３６は、取引処理の中止を示す中止信号を生成して、ホスト側通信部３１が該中止信号を自動取引装置１１へ送信する（Ｓ１０９）。
【００７６】
自動取引装置１１の回線通信部２１が該中止信号を受信すると、表示入力部１５が暗証番号の不一致による取引処理の中止を示す中止画面を表示して（Ｓ１１０）、取引処理システム１０は処理を終了する。
【００７７】
暗証番号が一致すると判断される（Ｓ１０８）と、信号生成部３６は取引処理の継続を示す継続信号を生成し、ホスト側通信部３１が該継続信号を自動取引装置１１へ送信する（Ｓ１１１）。
【００７８】
自動取引装置１１において、回線通信部２１が該継続信号を受信すると、装置側制御部２０は、表示入力部１５に、携帯電話機１３からの所定識別情報の送信を顧客に促す画面（図４（ａ））を表示させると共に、装置側通信部１９の無線通信部２２を通信可能なオン状態にさせる（Ｓ１１２）。
【００７９】
図４は、自動取引装置において表示入力部に表示された通信画面の説明図である。
図４（ａ）は、所定識別情報の送信を顧客に促す催促画面であり、図４（ｂ）は、携帯電話機と通信中であることを示す通信中画面、図４（ｃ）は、所定識別情報の受信済を顧客に通知する受信済通知画面、図４（ｄ）は、口座情報の再送信を顧客に促す再送信通知画面である。
【００８０】
続いて、顧客が催促画面を見た後、携帯電話機１３において、入力部２５の起動ボタン２５ａを押圧する。これにより、通信専用ソフト２３ａが起動されると共に、自動取引装置１１との通信を開始する接続開始信号が生成される（Ｓ１１３）。生成された接続開始信号は、携帯側通信部２３により自動取引装置１１へ送信される（Ｓ１１４）。
【００８１】
自動取引装置１１において、オン状態になった無線通信部２２が携帯電話機１３からの接続開始信号を受信すると、無線通信部２２とは携帯側通信部２３との間は通信状態になり、表示入力部１５は通信中画面（図４（ｂ））を表示する（Ｓ１１５）。
【００８２】
上記接続開始信号が送信された後、携帯側制御部２８は、表示部２４に、顧客に口座情報を入力させるための口座情報入力画面を表示させる（Ｓ１１６）。
【００８３】
図５は、表示部に表示された口座情報入力画面の構成を示す説明図である。
口座情報入力画面５３には、図５に示されているように、支店番号を顧客に入力させるための支店番号入力領域５４と、口座番号を入力させるための口座番号入力領域５５とが表示されている。また、入力された口座情報を自動取引装置１１へ送信し且つ口座情報の入力を取り消すための入力部２５の送信ボタン５６及びキャンセルボタン５７が表示されている。
【００８４】
顧客が口座情報入力画面５３において、支店番号及び口座番号を入力部２５により入力して、入力部２５の送信ボタン５６を選択する（Ｓ１１７）と、携帯側制御部２８は、読出部２７に、所定識別情報記憶部２６に記憶された所定識別情報を読み出させ、携帯側通信部２３に、入力された口座情報及び読み出された所定識別情報を、自動取引装置１１へ送信させる（Ｓ１１８）。
【００８５】
自動取引装置１１において、無線通信部２２が、口座情報及び所定識別情報を受信すると、装置側制御部２０は、表示入力部１５に、所定識別情報を受信したことを通知するための受信済通知画面（図４（ｃ））を表示させ、装置側記憶部１７に、受信された口座情報及び所定識別情報を一時的に記憶させる（Ｓ１１９）。
【００８６】
続いて、装置側制御部２０は、携帯電話機１３から受信した口座情報が、キャッシュカードから読み取った口座情報と一致するか否かを判断する（Ｓ１２０）。
【００８７】
一致しないと判断すると、装置側制御部２０は、表示入力部１５に、携帯電話機１３からの口座情報の再入力及び再送信を顧客に促すための再送信通知画面（図４（ｄ））を表示させる（Ｓ１２１）。そして、Ｓ１１６の動作が実行される。
【００８８】
一致すると判断すると、装置側制御部２０は、無線通信部２２をオフ状態にさせて、通信を終了する（Ｓ１２２）。
【００８９】
その後、回線通信部２１は、装置側記憶部１７に記憶された口座情報及び所定識別情報をホストコンピュータ１２へ送信する（Ｓ１２３）。
【００９０】
ホストコンピュータ１２において、ホスト側制御部３７は、ホスト側通信部３１により受信した口座情報に基づいて、一時記憶部３２に既に記憶されている該口座情報及び暗証番号と対応させて、受信した所定識別情報を記憶させる（Ｓ１２４）。
【００９１】
次に、検索読出部３４が、口座情報及び暗証番号に基づいてホスト側格納部３３を検索して、所定識別情報を読み出す（Ｓ１２５）。そして、判断部３５が、読み出された所定識別情報と一時記憶部３２に記憶された所定識別情報とが一致するか否かを判断する（Ｓ１２６）。
【００９２】
一致すると判断されると、信号生成部３６は、取引処理を実行させるための実行信号を生成し、ホスト側通信部３１が該実行信号を自動取引装置１１へ送信する（Ｓ１２７）。
【００９３】
自動取引装置１１の回線通信部２１が実行信号を受信すると、取引処理実行部１８は、ホストコンピュータ１２との間で取引処理を実行する（Ｓ１２８）。そして、現金を出金させ、カードを排出する（Ｓ１２９）と、取引処理システム１０は処理を終了する。
【００９４】
上記Ｓ１２６において、所定識別情報が一致しないと判断されると、信号生成部３６は、取引処理を停止させるための停止制御信号を生成し、ホスト側通信部３１が該停止制御信号を自動取引装置１１へ送信する（Ｓ１３０）。
【００９５】
回線通信部２１が停止制御信号を受信すると、表示入力部１５が、所定識別情報が一致しないため取引処理を停止することに関する停止説明画面を図６に示されるように表示して（Ｓ１３１）、取引処理システム１０は処理を終了する。
【００９６】
上記のように、本実施例では、自動取引装置において出金処理等の取引処理が実行される際に、入力された暗証番号とホストコンピュータに登録されている暗証番号との一致が確認された後、顧客の所有する携帯電話機から、自動取引装置を介して、電話番号をホストコンピュータへ送信させ、ホストコンピュータにおいて、受信した電話番号と予め登録されている電話番号とが一致した場合にのみ、取引処理を実行することにより、取引処理に対するセキュリティが強化される。
【００９７】
なお、取引処理を実行する際の認証判断に対して、携帯電話機の電話番号に加えて、更に、専用のパスワードを設定して用いることも可能である。
この場合、顧客に設定させたパスワードを、電話番号と共に、ホストコンピュータに予め登録しておき、ホスト側格納部に口座情報と対応させて格納させる。そして、電話番号を用いた認証判断の後、更にパスワードにより認証判断を行うことにより、例えば、キャッシュカードの偽造者に携帯電話機を盗まれた場合においても、不正な取引処理を更に抑止することができる。その結果、取引処理に対するセキュリティがなお一層強化される。
【００９８】
なお、本実施例では、所定識別情報として携帯電話機の電話番号を用いたが、これに代えて、携帯電話機の製造番号又は電子メールアドレスを用いることができる。
【実施例２】
【００９９】
図７は、本発明に係る取引処理システムの実施例２の構成を示すブロック図である。
なお、本実施例において、実施例１と同様な構成を同一の符号で示し、これらについての説明を省略する。
【０１００】
本発明に係る取引処理システム４０は、図７に示されているように、自動取引装置４１と、ホストコンピュータ４２と、携帯電話機４３とを備えている。自動取引装置４１とホストコンピュータ４２とは、通信回線４４を介して相互に接続されている。
【０１０１】
自動取引装置４１は、表示入力部１５、カード読取部１６、装置側記憶部１７、取引処理実行部１８、装置側通信部４５及びこれら各部を制御する装置側制御部４６を備えている。
【０１０２】
装置側通信部４５は、通信回線４４を介して、ホストコンピュータ４２との間で通信を行う機能を有する。
【０１０３】
携帯電話機４３は、顧客に専用され、顧客端末としての機能を有し、携帯側通信部４７、表示部４８、入力部４９、所定識別情報記憶部２６、読出部２７及びこれら各部を制御する携帯側制御部５０を備えている。
【０１０４】
携帯側通信部４７は、無線ネットワークを介して、ホストコンピュータ４２との間で通信を行う機能を有する。また、携帯側通信部４７は、ホストコンピュータに口座情報等の送信データを送信するための通信専用ソフト４７ａを有している。
【０１０５】
表示部４８は、例えばディスプレイからなり、顧客にデータの入力を促す入力画面等を表示する機能を有する。
【０１０６】
入力部４９は、例えば入力ボタンからなり、顧客に口座情報等の入力データや選択データ等を入力させる機能を有する。
また、入力部４９は、通信専用ソフト４７ａを起動させる起動ボタン４９ａを有しており、顧客が該起動ボタン４９ａを押圧することにより、通信専用ソフト４７ａが起動されると共に、所定識別情報が一致するか否かの判断を要求する判断要求信号が生成される。
【０１０７】
携帯側制御部５０は、上記した各機能を制御するための制御プログラムを備えている。
【０１０８】
ホストコンピュータ４２は、ホスト側通信部５１、一時記憶部３２、ホスト側格納部３３、検索読出部３４、判断部３５、信号生成部３６及びこれら各部を制御するホスト側制御部５２を備えている。
【０１０９】
ホスト側通信部５１は、通信回線４４を介して、自動取引装置４１との間で通信を行う機能を有し、また、無線ネットワークを介して、携帯電話機４３との間で通信を行う機能を有する。
【０１１０】
ホスト側制御部５２は、上記した各機能を制御するための制御プログラムを備えている。
【０１１１】
なお、上記した取引処理システム４０の構成を利用する前に、顧客は、ホストコンピュータ４２から、口座情報及び所定識別情報を送信するための通信専用ソフトを携帯電話機４３にダウンロードしておく。また、携帯電話機４３から所定識別情報をホストコンピュータ４２へ送信して、ホスト側格納部３３に口座情報と対応させて格納させて登録しておくことができる。
【０１１２】
次に、本発明に係る取引処理システム４０の動作を、キャッシュカードを用いた出金処理を例として、図８に示すフローチャートに沿って説明する。
図８は、本発明に係る取引処理システムの実施例２における動作を示すフローチャートである。
【０１１３】
顧客が自動取引装置４１の図示しない検知センサにより検知され、検知信号が装置側制御部４６に送られると、装置側制御部４６は、表示入力部１５に取引処理選択画面を表示させる（Ｓ２０１）。
【０１１４】
取引処理選択画面において顧客が出金処理を選択すると、表示入力部１５は、次に、キャッシュカード挿入画面を表示する（Ｓ２０２）。顧客がカード読取部１６にキャッシュカードを挿入すると、カード読取部１６は該キャッシュカードから口座情報を読み取り、装置側記憶部１７が該口座情報を一時的に記憶する（Ｓ２０３）。
【０１１５】
続いて、表示入力部１５は、暗証番号入力画面を表示する（Ｓ２０４）。顧客により暗証番号が入力されると、装置側通信部４５は、該暗証番号を装置側記憶部１７に記憶された口座情報と共にホストコンピュータ４２へ送信する（Ｓ２０５）。
【０１１６】
ホストコンピュータ４２において、ホスト側通信部５１が口座情報及び暗証番号を受信すると、ホスト側制御部５２は受信したデータを一時記憶部３２に記憶させる（Ｓ２０６）。
【０１１７】
次に、検索読出部３４が、該口座情報に基づいてホスト側格納部３３を検索して、暗証番号を読み出し（Ｓ２０７）、判断部３５が、該暗証番号と一時記憶部３２に記憶された暗証番号とが一致するか否かを判断する（Ｓ２０８）。
【０１１８】
一致しないと判断された場合の動作（Ｓ２０９〜Ｓ２１０）は、実施例１におけるＳ１０９〜Ｓ１１０の動作と同じなので、説明を省略する。
【０１１９】
暗証番号が一致すると判断される（Ｓ２０８）と、信号生成部３６は取引処理の継続を示す継続信号を生成し、ホスト側通信部５１が該継続信号を自動取引装置４１へ送信する（Ｓ２１１）。
【０１２０】
自動取引装置４１において、装置側通信部４５が該継続信号を受信すると、装置側制御部４６は、表示入力部１５に、携帯電話機１３からホストコンピュータ４２への所定識別情報の送信を顧客に促す催促画面（図４（ａ））を表示させる（Ｓ２１２）。
【０１２１】
続いて、携帯電話機４３において、顧客が入力部４９の起動ボタン４９ａを押圧すると、通信専用ソフト４７ａが起動されると共に、所定識別情報の判断を要求する判断要求信号が生成される（Ｓ２１３）。そして、表示部４８は、口座情報を顧客に入力させるための口座情報入力画面５３を図５に示されるように表示する（Ｓ２１４）。
【０１２２】
顧客が口座情報入力画面５３において、支店番号及び口座番号を入力部４９により入力して、入力部４９の送信ボタン５６を選択する（Ｓ２１５）と、携帯側制御部５０は、読出部２７に、所定識別情報記憶部２６に記憶された所定識別情報を読み出させ、携帯側通信部４７に、入力された口座情報及び読み出された所定識別情報を、生成された判断要求信号と共にホストコンピュータ４２へ送信させる（Ｓ２１６）。
【０１２３】
ホストコンピュータ４２において、ホスト側制御部５２は、ホスト側通信部５１により受信した判断要求信号に基づいて、一時記憶部３２を検索して、受信した口座情報を読み出し、該口座情報及び対応して記憶されている暗証番号に対応させて、受信した所定識別情報を記憶させる（Ｓ２１７）。
【０１２４】
次に、検索読出部３４が、口座情報及び暗証番号に基づいてホスト側格納部３３を検索して、所定識別情報を読み出す（Ｓ２１８）。そして、判断部３５が、読み出された所定識別情報と一時記憶部３２に記憶された所定識別情報とが一致するか否かを判断する（Ｓ２１９）。
【０１２５】
一致すると判断されると、信号生成部３６は、取引処理を実行させるための実行信号を生成し、ホスト側通信部５１が該実行信号を自動取引装置４１へ送信する（Ｓ２２０）。
【０１２６】
自動取引装置４１の装置側通信部４５が実行信号を受信すると、取引処理実行部１８は、ホストコンピュータ４２との間で取引処理を実行する（Ｓ２２１）。そして、現金を出金させ、カードを排出する（Ｓ２２２）と、取引処理システム４０は処理を終了する。
【０１２７】
上記Ｓ２１８において、所定識別情報が一致しないと判断されると、信号生成部３６は、取引処理を停止させるための停止制御信号を生成し、ホスト側通信部５１が該信号を自動取引装置４１へ送信する（Ｓ２２３）。
【０１２８】
装置側通信部４５が停止制御信号を受信すると、表示入力部１５が、所定識別情報が一致しないため取引処理を停止することに関する停止説明画面を図６に示されるように表示して（Ｓ２２４）、取引処理システム４０は処理を終了する。
【０１２９】
上記のように、本実施例では、携帯電話機の所定識別情報は、実施例１における自動取引装置とホストコンピュータとの間の専用通信回線を介して送信されることなく、無線ネットワークを介してホストコンピュータへ送信されるので、所定識別情報の送信中に、専用通信回線への不正なアクセスによる所定識別情報の流出や改竄が起こる危険性が回避され、取引処理に対するセキュリティが更に向上される。
また、本実施例では、実施例１の自動取引装置に設けられた携帯電話機と通信を行うための無線通信部を備える必要がないので、コストが低減される。
【０１３０】
なお、本実施例では、携帯電話機からホストコンピュータへの口座情報及び所定識別情報の送信は、予めホストコンピュータからダウンロードされた通信専用ソフトを用いて行われていたが、例えばｗｅｂ通信等により送信を行うことも可能である。
【実施例３】
【０１３１】
図９は、本発明に係る取引処理システムの実施例３の構成を示すブロック図である。
実施例１及び２の取引処理システムは、自動取引装置、ホストコンピュータ及び携帯電話機を備えていたが、本実施例の取引処理システムは、自動取引装置、ホストコンピュータ及び携帯電話機と、該ホストコンピュータに接続され、携帯電話機との間で通信を行うサーバを更に備えている。
なお、本実施例において、実施例１又は２と同様な構成を同一の符号で示し、これらについての説明を省略する。
【０１３２】
本発明に係る取引処理システム６０は、図９に示されているように、自動取引装置４１と、ホストコンピュータ６１と、サーバ６２と、顧客端末としての携帯電話機６３とを備えている。自動取引装置４１とホストコンピュータ６１とは、通信回線６４を介して相互に接続され、ホストコンピュータ６１とサーバ６２とは、通信回線６５を介して相互に接続されている。
【０１３３】
自動取引装置４１は、表示入力部１５、カード読取部１６、装置側記憶部１７、取引処理実行部１８、装置側通信部４５及び装置側制御部４６を備えている。
【０１３４】
携帯電話機６３は、携帯側通信部６６、表示部６７、入力部６８、所定識別情報記憶部２６、読出部２７及びこれら各部を制御する携帯側制御部６９を備えている。
【０１３５】
携帯側通信部６６は、無線ネットワークを介して、サーバ６２との間で通信を行う機能を有する。
【０１３６】
表示部６７は、例えばディスプレイからなり、ｗｅｂブラウザや顧客にデータの入力を促す入力画面等を表示する機能を有している。
【０１３７】
入力部６８は、例えば入力ボタンからなり、顧客に入力データや選択データを入力させる機能を有する。これにより、例えば取引処理の実行を要求する実行要求信号を入力することができる。
【０１３８】
携帯側制御部６９は、上記した各機能を制御するための制御プログラムを備えている。
【０１３９】
サーバ６２は、サーバ側通信部７０、サーバ側一時記憶部７１、サーバ側格納部７２、サーバ側検索読出部７３、サーバ側判断部７４、サーバ側信号生成部７５及びこれら各部を制御するサーバ側制御部７６を備えている。
【０１４０】
サーバ側通信部７０は、通信回線６５を介して、ホストコンピュータ６１との間で通信を行う機能と、無線ネットワークを介して、携帯電話機６３との間で通信を行う機能とを有する。
【０１４１】
サーバ側一時記憶部７１は、サーバ側通信部７０により受信した携帯電話機６３からのデータ、例えば口座情報や所定識別情報等を一時的に記憶する機能を有する。
【０１４２】
サーバ側格納部７２は、携帯電話機６３の所定識別情報を、支店番号及び口座番号からなる口座情報と対応させて格納する機能を有する。また更に、顧客に設定させたパスワードを、口座情報と対応させて格納している。
【０１４３】
図１０は、実施例３のサーバ側格納部の構成を示す説明図である。
サーバ側格納部７２には、図１０に示されているように、「支店番号」、「口座番号」の項目が設けられており、更にこれらの項目に対応して「所定識別情報（携帯電話機電話番号）」及び「パスワード」項目が設けられている。
【０１４４】
例えば、支店番号「１２３」、口座番号「４５６７８９０」の顧客に対応して、所定識別情報は「０９０−１２３４−５６７８」であり、パスワードは「ａｂｃｄｅ１２３４５」となっている。ここで、パスワードは、顧客に設定させた任意の文字列である。
【０１４５】
サーバ側検索読出部７３は、携帯電話機６３から受信した口座情報に基づいてサーバ側格納部７２を検索して所定識別情報及びパスワードを読み出す機能を有する。
【０１４６】
サーバ側判断部７４は、サーバ側一時記憶部７１に記憶されたデータに基づいて、サーバ側検索読出部７３により読み出されたデータを判断する機能を有する。
【０１４７】
サーバ側信号生成部７５は、取引処理の許可を示す許可信号や、停止を示す停止信号等を生成する機能を有する。
【０１４８】
サーバ側制御部７６は、上記した各部７０〜７５を制御するための制御プログラムを備えている。
【０１４９】
ホストコンピュータ６１は、ホスト側通信部７７、ホスト側一時記憶部７８、ホスト側格納部７９、ホスト側検索読出部８０、ホスト側判断部８１、ホスト側信号生成部８２及びこれら各部を制御するホスト側制御部８３を備えている。
【０１５０】
ホスト側通信部７７は、通信回線６４を介して、自動取引装置４１との間で通信を行う機能と、通信回線６５を介して、サーバ６２との間で通信を行う機能とを有する。
【０１５１】
ホスト側一時記憶部７８は、ホスト側通信部７７により受信した自動取引装置４１からのデータ、例えば口座情報や暗証番号等を一時的に記憶する機能を有する。
【０１５２】
ホスト側格納部７９は、顧客の名前や口座情報、暗証番号等を、対応させて格納する機能を有する。
【０１５３】
図１１は、実施例３のホスト側格納部の構成を示す説明図である。
ホスト側格納部７９には、図１１に示されているように、「名前」、「支店番号」、「科目」、「口座番号」及び「暗証番号」等の項目が設けられている。
【０１５４】
例えば、顧客Ａに対応して、その支店番号、科目、口座番号及び暗証番号は、「１２３」、「普通」、「４５６７８９０」及び「１２３４」となっている。
【０１５５】
ホスト側検索読出部８０は、自動取引装置４１から受信した口座情報に基づいて、ホスト側格納部７９を検索して暗証番号を読み出す機能を有する。
【０１５６】
ホスト側判断部８１は、ホスト側一時記憶部７８に記憶されたデータに基づいて、ホスト側検索読出部８０により読み出されたデータを判断する機能を有する。
【０１５７】
ホスト側信号生成部８２は、自動取引装置４１とホストコンピュータ６１との間における取引処理を実行させるための実行信号や、停止させるための停止制御信号等を生成する機能を有する。
【０１５８】
ホスト側制御部８３は、上記した各部７７〜８２を制御するための制御プログラムを備えている。
【０１５９】
次に、本発明に係る取引処理システム６０の動作を、キャッシュカードを用いた出金処理を例として、図１２に示すフローチャートに沿って説明する。
図１２は、本発明に係る取引処理システムの実施例３における動作を示すフローチャートである。
【０１６０】
顧客が自動取引装置４１の図示しない検知センサにより検知され、検知信号が装置側制御部４６に送られると、装置側制御部４６は、表示入力部１５に取引処理選択画面を表示させる（Ｓ３０１）。
【０１６１】
取引処理選択画面において顧客が出金処理を選択すると、表示入力部１５は、次に、キャッシュカード挿入画面を表示する（Ｓ３０２）。顧客がカード読取部１６にキャッシュカードを挿入すると、カード読取部１６は該キャッシュカードから口座情報を読み取り、装置側記憶部１７が該口座情報を一時的に記憶する（Ｓ３０３）。
【０１６２】
続いて、表示入力部１５は、暗証番号入力画面を表示する（Ｓ３０４）。顧客により暗証番号が入力されると、装置側通信部４５は、該暗証番号を装置側記憶部１７に記憶された口座情報と共にホストコンピュータ６１へ送信する（Ｓ３０５）。
【０１６３】
ホストコンピュータ６１において、ホスト側通信部７７が口座情報及び暗証番号を受信すると、ホスト側制御部８３は受信したデータをホスト側一時記憶部７８に記憶させる（Ｓ３０６）。
【０１６４】
次に、ホスト側検索読出部８０が、該口座情報に基づいてホスト側格納部７９を検索して、暗証番号を読み出し（Ｓ３０７）、ホスト側判断部８１が、該暗証番号とホスト側一時記憶部７８に記憶された暗証番号とが一致するか否かを判断する（Ｓ３０８）。
【０１６５】
一致しないと判断された場合の動作（Ｓ３０９〜Ｓ３１０）は、実施例１におけるＳ１０９〜Ｓ１１０の動作と同じなので、説明を省略する。
【０１６６】
一致すると判断される（Ｓ３０８）と、ホスト側信号生成部８２は取引処理の継続を示す継続信号を生成し、ホスト側通信部７７が該継続信号を自動取引装置４１へ送信する（Ｓ３１１）。
【０１６７】
自動取引装置４１において、装置側通信部４５が該継続信号を受信すると、表示入力部１５は、携帯電話機６３からサーバ６２への所定識別情報の送信を顧客に促す催促画面（図４（ａ））を表示する（Ｓ３１２）。
【０１６８】
続いて、携帯電話機６３において、顧客が入力部６８からｗｅｂ通信によるサーバ６２へのアクセスを要求するアクセス要求信号を入力すると、携帯側制御部６９は、携帯側通信部６６に該アクセス要求信号をサーバ６２へ送信させる（Ｓ３１３）。
【０１６９】
サーバ６２において、サーバ側通信部７０がアクセス要求信号を受信すると、サーバ側制御部７６は、サーバ側通信部７０に、送信データを顧客に入力させるための送信データ入力画面を携帯電話機６３へ送信させる。
【０１７０】
携帯側通信部６６が該送信データ入力画面を受信すると、携帯側制御部６９は、表示部６７に送信データ入力画面を表示させる（Ｓ３１４）。
【０１７１】
図１３は、表示部に表示された送信データ入力画面の構成を示す説明図である。
送信データ入力画面８４には、図１３に示されているように、支店番号を顧客に入力させるための支店番号入力領域５４と、口座番号を入力させるための口座番号入力領域５５と、パスワードを入力させるためのパスワード入力領域８５とが表示されている。また、入力された口座情報及びパスワードをサーバ６２へ送信し且つ口座情報及びパスワードの入力を取り消すための入力部６８の送信ボタン８６及びキャンセルボタン８７が表示されている。
【０１７２】
顧客が送信データ入力画面８４において、入力部６８により口座情報及びパスワードを入力し、入力部６８の送信ボタン８６を選択する（Ｓ３１５）と、携帯側制御部６９は、読出部２７に、所定識別情報記憶部２６に記憶された所定識別情報を読み出させ、携帯側通信部６６に、入力された口座情報及びパスワードと、読み出された所定識別情報とを、サーバ６２へ送信させる（Ｓ３１６）。
【０１７３】
サーバ６２において、サーバ側通信部７０が口座情報、パスワード及び所定識別情報を受信すると、サーバ側制御部７６は、サーバ側一時記憶部７１に受信した口座情報、パスワード及び所定識別情報を一時的に記憶させる（Ｓ３１７）。
【０１７４】
続いて、サーバ側検索読出部７３が、該口座情報に基づいてサーバ側格納部７２を検索して、所定識別情報を読み出す（Ｓ３１８）。そして、サーバ側判断部７４が、読み出された所定識別情報とサーバ側一時記憶部７１に記憶された所定識別情報とが一致するか否かを判断する（Ｓ３１９）。
【０１７５】
一致すると判断されると、サーバ側検索読出部７３は、更に、該口座情報に基づいてサーバ側格納部７２からパスワードを読み出す（Ｓ３２０）。そして、サーバ側判断部７４が、読み出されたパスワードとサーバ側一時記憶部７１に記憶されたパスワードとが一致するか否かを判断する（Ｓ３２１）。
【０１７６】
一致すると判断されると、サーバ側信号生成部７５は、取引処理の許可を示す許可信号を生成し、サーバ側通信部７０が該許可信号を口座情報と共にホストコンピュータ６１へ送信する（Ｓ３２２）。
【０１７７】
ホストコンピュータ６１において、ホスト側制御部８３は、ホスト側通信部７７により受信した許可信号及び口座情報に基づいて、ホスト側検索読出部８０にホスト側一時記憶部７８を検索させ、暗証番号を読み出させる（Ｓ３２３）。
【０１７８】
その後、ホスト側制御部８３は、自動取引装置４１との間で、該口座情報と暗証番号とに基づく取引処理を実行する（Ｓ３２４）。
【０１７９】
そして、自動取引装置４１において、現金を出金させ、カードを排出する（Ｓ３２５）と、取引処理システム６０は処理を終了する。
【０１８０】
上記Ｓ３１９において所定識別情報が一致しないと判断された場合、又は、Ｓ３２１においてパスワードが一致しないと判断された場合、サーバ側信号生成部７５は、取引処理の停止を示す停止信号を生成し、サーバ側通信部７０が該停止信号を口座情報と共にホストコンピュータ６１へ送信する（Ｓ３２６）。
【０１８１】
ホストコンピュータ６１において、ホスト側通信部７７が停止制御信号及び口座情報を受信すると、ホスト側制御部８３は、ホスト側信号生成部８２に、取引処理を停止させるための停止制御信号を生成させ、ホスト側通信部７７に該停止制御信号を自動取引装置４１へ送信させる（Ｓ３２７）。
【０１８２】
自動取引装置４１の装置側通信部４５が停止制御信号を受信すると、表示入力部１５が、取引処理を停止することに関する停止説明画面を表示して（Ｓ３２８）、取引処理システム６０は処理を終了する。
【０１８３】
上記のように、本実施例では、携帯電話機及びホストコンピュータと通信するためのサーバを設け、所定識別情報の登録及び認証判断等を該サーバにおいて行うことにより、既存のホストコンピュータを利用することができると共に、ホストコンピュータへの負荷を軽減することができる。
また、所定識別情報による認証判断に加えて、更に顧客により入力されたパスワードにより認証判断を行うので、例えば、キャッシュカードの偽造者に携帯電話機を盗まれた場合においても、不正な取引処理を更に抑止することができる。その結果、取引処理に対するセキュリティがなお一層強化される。
【図面の簡単な説明】
【０１８４】
【図１】本発明に係る取引処理システムの実施例１の構成を示すブロック図である。
【図２】実施例１のホスト側格納部の構成を示す説明図である。
【図３】本発明に係る取引処理システムの実施例１における動作を示すフローチャートである。
【図４】自動取引装置における表示入力部に表示された通信画面の説明図である。
【図５】表示部に表示された口座情報入力画面の構成を示す説明図である。
【図６】表示入力部に表示された停止説明画面の説明図である。
【図７】本発明に係る取引処理システムの実施例２の構成を示すブロック図である。
【図８】本発明に係る取引処理システムの実施例２における動作を示すフローチャートである。
【図９】本発明に係る取引処理システムの実施例３の構成を示すブロック図である。
【図１０】実施例３のサーバ側格納部の構成を示す説明図である。
【図１１】実施例３のホスト側格納部の構成を示す説明図である。
【図１２】本発明に係る取引処理システムの実施例３における動作を示すフローチャートである。
【図１３】表示部に表示された送信データ入力画面の構成を示す説明図である。
【符号の説明】
【０１８５】
１０  取引処理システム
１１  自動取引装置
１２  ホストコンピュータ
１３  携帯電話機
１６  カード読取部
１９  装置側通信部
２０  装置側制御部
２１  回線通信部
２２  無線通信部
２３  携帯側通信部
２６  所定識別情報記憶部
２８  携帯側制御部
３１  ホスト側通信部
３２  一時記憶部
３３  ホスト側格納部
３４  検索読出部
３５  判断部
３６  信号生成部
３７  ホスト側制御部
【図１】
2007087079.tif 000003
【図２】
2007087079.tif 000004
【図３】
2007087079.tif 000005
【図４】
2007087079.tif 000006
【図５】
2007087079.tif 000007
【図６】
2007087079.tif 000008
【図７】
2007087079.tif 000009
【図８】
2007087079.tif 000010
【図９】
2007087079.tif 000011
【図１０】
2007087079.tif 000012
【図１１】
2007087079.tif 000013
【図１２】
2007087079.tif 000014
【図１３】
2007087079.tif 000015